(57)【特許請求の範囲】
【請求項１】
天板を支持する左右の前後方向を向く板状脚の後部に、上下方向の筒部を形成し、この筒部に、天板より上方に突出する長さの支柱を嵌挿するとともに、その下端を、板状脚の底板に載置受支させたことを特徴とする机における支柱立設装置。
【請求項２】
板状脚の底板を貫通して下方から、支柱の下端面に机の高さを調節するためのアジャスターを取付けたことを特徴とする請求項１に記載の机における支柱立設装置。
【請求項３】
板状脚と支柱とを、板状脚の内側面から上下方向に複数箇所でねじ止めしたことを特徴とする請求項１または２に記載の机における支柱立設装置。
【発明の詳細な説明】
【０００１】
【発明の属する技術分野】
本発明は、机の後部に、照明器具、棚又は掲示ボード等の装備品を取付けるための左右１対の支柱を立設する装置に関する。
【０００２】
【従来の技術】
従来の机における支柱立設装置の１例である、実開平８−１２９９号公報に記載されているものは、図４に示すように、机(30)の後部の開口部(30a)に挿入した断面Ｌ字状の支柱(31)の下部を、ボルト(32)によって、机(30)の後板(33)と側板(34)の上下方向の中間部に取付けるようになっている。
【０００３】
また、実公昭６１−４４６６１号公報に記載されているものは、図５に示すように、天板(35)に形成された支柱貫通孔(36)に支柱(37)を貫通させ、中空状の脚(38)内に設けられた筒状の支持部材(39)により支柱(37)の下部を支持するとともに、支柱貫通孔(36)と支柱(37)との間の隙間を埋める振れ止めキャップ(40)によって、支柱の振れを防止している。
【０００４】
【発明が解決しようとする課題】
前者の支柱立設装置では、支柱(31)を机(30)に取付けるとき、支柱(31)を持ちながらボルト止めするため、２人の作業者が必要となり、かつ取付け作業が煩雑である。
【０００５】
また、支柱(31)に下向きの過大な荷重が加わった場合、支柱と机の結合部に応力が集中して、支柱や机が変形し、支柱に載置されている照明器具や棚等の装備品が前傾し、机を使用する人に不安感を抱かせたり、棚上の載置物が落下したりすることがある。
【０００６】
後者の支柱立設装置においては、支持部材(39)を予め脚(38)に設けておかなければならず、脚(38)の構造が複雑になるとともに、机の組立に手間を要する。
【０００７】
また、支持部材(39)と振れ止めキャップ(40)との取付け相対位置に狂いが生じていると、支柱(37)が傾き、１対の支柱同士の間隔が狂い、装備品の取付けが困難になるとともに、美感を損なうことがある。
【０００８】
本発明は、上記の問題点に鑑み、机への支柱の組み込みを容易にし、かつ、支柱の傾斜を防止して、支柱を机に、真っすぐに立設することができるようにした支柱立設装置を提供することを目的としている。
【０００９】
【課題を解決するための手段】
本発明によると、上記課題は、次のようにして解決される。
(１) 天板を支持する左右の前後方向を向く板状脚の後部に、上下方向の筒部を形成し、この筒部に、天板より上方に突出する長さの支柱を嵌挿するとともに、その下端を、板状脚の底板に載置受支させる。
【００１０】
(２) 上記(１)項において、板状脚の底板を貫通して下方から、支柱の下端面に机の高さを調節するためのアジャスターを取付ける。
【００１１】
(３) 上記(１)項または(２)項において、板状脚と支柱とを、板状脚の内側面から上下方向に複数箇所でねじ止めする。
【００１２】
【発明の実施の形態】
図１は、本発明の支柱立設装置によって立設された支柱(４)(４)を有する机(１)の上方斜視図、図２は、図１における左側の板状脚(３)の周辺の部分拡大斜視図、図３は、図２における板状脚の骨格(６)を示す上方斜視図である。
【００１３】
天板(２)を支持する左右の板状脚(３)(３)の後部に立設された１対の支柱(４)(４)によって、照明器具(５)が支持されている。なお照明器具(５)の代りに、棚、掲示ボードなどを取付けることもできる。
【００１４】
板状脚(３)の骨格は、図３に示すように、前後方向を向く下部アーム(７)及び上部アーム(８)と、下部アーム(７)と上部アーム(８)とを平行に連結する上下方向を向く前部杆(９)及び後部杆(10)とを備えている。前部杆(９)は、下部アーム(７)と上部アーム(８)との中間部同士を連結し、後部杆(10)は、下部アーム(７)と上部アーム(８)との後端部同士を連結している。
これらのアームおよび杆は、開口端部同士を互いに向き合う方向に折り曲げてフランジを形成したチャンネル状断面を有している。
下部アーム(７)の前部杆(９)よりも前側の部分は、脚カバー(11)によって覆われている。
【００１５】
前部杆(９)と後部杆(10)、およびこれら両杆の間は、側板(12)によって覆われ、前後方向を向く板状脚(３)を構成している。
【００１６】
本発明は、天板(２)を支持する左右の板状脚(３)(３)の後部に、上下方向の筒部を形成し、支柱(４)(４)をこの筒部に嵌挿するとともに、その下端を、板状脚(３)(３)の底板に載置受支させることが特徴である。
ここで筒部とは、支柱を上下方向に内嵌することができ、上下方向の少なくとも２箇所において、支柱の水平方向の移動を規制する構造を有する部材である。
【００１７】
本実施の形態では、筒部は、後部杆(10)と、その上部に被嵌された方形状の支柱支持枠(18)とより構成されている。支柱(４)の水平方向の移動は、支柱支持枠(18)と後部杆(10)の複数箇所で規制される。すなわち、支柱(４)の後面(4a)、左側面(4b)、右側面(4c)、前面(4d)が、それぞれ後部杆(10)の後面(10b)、左側面(10c)、右側面(10d)、フランジ(10a)(10a)の内面に対向して、水平方向の移動が規定され、支柱(４)は鉛直方向に保持される。
【００１８】
なお、支柱支持枠(18)は必ずしも必要ではなく、後部杆(10)だけで筒部を構成することもできる。この場合、後部杆(10)は、その後面(10b)、左側面(10c)、右側面(10d)およびフランジ(10a)(10a)で支柱(４)を包持し、鉛直に保持する。
【００１９】
また、後部杆(10)にフランジ(10a)(10a)を設けずに、支柱支持枠(18)と下部アーム(７)のフランジ(7b)(7b)を利用して、筒部として機能させ、支柱(４)を保持することもできる。すなわち、図３に示す(但し、図３においては、後部杆(10)のフランジ(10a)(10a)を設けた態様を示してある)ように、下部アーム(７)のフランジ(7b)(7b)の後部を切欠いて、支柱(４)の前面(4d)の下端部を、フランジ(7b)(7b)の切欠いた後端面に当接させることによって支柱(４)の下端部を包持するとともに、支柱(４)の中間部を支柱支持枠(18)で支持し、支柱(４)を鉛直に保持することができる。
【００２０】
また、支柱(４)は、後部杆(10)の机の内側に位置する右側面(10d)からねじ込まれる上下１対のねじ(22)(22)によって、後部杆(10)と一体化される。
【００２１】
チャンネル状断面をなす下部アーム(７)の底板(7a)の後部に、支柱支持枠(18)と後部杆(10)に嵌挿させた支柱(４)を載置し、底板(7a)の下方から、机(１)の高さ調節用のアジャスター(21)を支柱(４)の下端面に螺合させるとともに、底板(7a)の前部にもアジャスター(21)を取り付けてある。
【００２２】
上部アーム(８)は、側板(12)の上部(12a)と、天板(２)の下に設けられた抽出(13)の側面を覆っている天板カバー(14)とによって覆われている。
【００２３】
天板(２)の後部は、板状脚(３)の後部より前方に位置しており、板状脚(３)の後方に設けられた後板(15)の上部と天板(２)の後部との間には、樋状の配線ダクト(16)が設けられている。
【００２４】
天板(２)の後部より後方に突出する後部杆(10)の上部に設けられた支柱支持枠(18)は、支柱(４)が嵌挿されないときは蓋(19)によって塞がれている。
蓋(19)の上面と、配線ダクト(16)の蓋(20)の上面と、天板(２)の上面は、互いに同一になって、全体として平坦に形成されている。
【００２５】
以上、主として左側の支柱(４)を保持する構造について説明したが、右側の支柱(４)も同様な構造で保持されている。このため左右１対の支柱(４)(４)は、傾斜することなく平行に机に立設され、照明器具(５)、棚、掲示ボードなどを安定的に取付けることができる。
【００２６】
【発明の効果】
本発明によると、次のような効果を奏することができる。
(ａ) 請求項１記載の発明によると、支柱が筒部により鉛直方向に支持されるため、支柱が傾斜するおそれがなく、またその下端が板状脚の底板に載置されるため、支柱が下方に沈むこともなく、支柱の位置が安定的に保持されるとともに、支柱の立設作業を１人で行える。
このため棚板を初めとする各種収納ユニット、掲示ボード、照明器具等の安定した取付けを容易にできる。
また、支柱は、板状脚の後部の筒部内に嵌挿されているため外観も良好である。
【００２７】
(ｂ) 請求項２記載の発明によると、支柱上部に取付けた棚板等から負荷される支柱への下向きの荷重は、アジャスターを介して直接床面に伝わるとともに、支柱が筒部に嵌挿されているために、大きな荷重に対しても支柱や机が変形せず、したがって支柱上部に取付けられた棚板等も変形することなく耐久性が向上し、かつ棚板等に載置した書籍や備品などの落下も防止され、安全に使用することができる。
【００２８】
(ｃ) 請求項３記載の発明によると、支柱と机との一体化が、板状脚を介して確実になされ、上記(ａ)(ｂ)項で記した効果が、一層、効果的に奏される。
【図面の簡単な説明】
【図１】本発明の支柱立設装置によって立設された支柱を有する机の上方斜視図である。
【図２】図１における左側の板状脚周辺の部分拡大斜視図である。
【図３】図２における板状脚の骨格を示す上方斜視図である。
【図４】支柱立設装置の従来例の斜視図である。
【図５】支柱立設装置の他の従来例の斜視図である。
【符号の説明】
(１)机
(２)天板
(３)板状脚
(４)支柱
(4a)後面
(4b)左側面
(4c)右側面
(4d)前面
(５)照明器具
(６)骨格
(７)下部アーム
(7a)底板
(7b)フランジ
(８)上部アーム
(９)前部杆
(10)後部杆
(10a)フランジ
(10b)後面
(10c)左側面
(10d)右側面
(11)脚カバー
(12)側板
(12a)上部
(13)抽出
(14)天板カバー
(15)後板
(16)配線ダクト
(18)支柱支持枠
(19)支柱支持枠の蓋
(20)配線ダクトの蓋
(21)アジャスター
(22)ねじ
【図１】
0004358361.tif 000002
【図２】
0004358361.tif 000003
【図３】
0004358361.tif 000004
【図４】
0004358361.tif 000005
【図５】
0004358361.tif 000006